(57)【要約】      （修正有）【課題】長時間使用しても高い滑り止め効果が得られる敷物を提供する。【解決手段】敷物は、敷物本体１１と、敷物本体の底部に設置されて敷物本体に固定されるシリコーンゴム突起である第１の滑り止め突起１２とを含む。敷物本体上にもシリコーンゴム滑り止め突起を設置することによって、従来の弾性ベルトによる滑り止め設計に比べて、良い滑り止め効果が得られ、長期間使用しても効果が持続する。施療機能を加えることもできるため、広い実用性が得られる。【選択図】図１
0003218096.tif 000002
【実用新案登録請求の範囲】
【請求項１】
敷物本体と、前記敷物本体の底部に設置されて前記敷物本体の底部に固定されるシリコーンゴム突起である第１の滑り止め突起とを含むことを特徴とする敷物。
【請求項２】
前記第１の滑り止め突起は、
前記敷物本体の短手方向に沿って設置される複数列の前記第１の滑り止め突起を含み、
それぞれの列の前記第１の滑り止め突起は複数の前記シリコーンゴム突起で構成され、
複数列の前記第１の滑り止め突起は、前記敷物本体の底部において、前記敷物本体の長手方向に沿って前記敷物本体の一方の端から他方の端へ互いに並列に間隔を置いて設置されることを特徴とする請求項１に記載の敷物。
【請求項３】
前記敷物本体の底部の４つの角隅に、前記第１の滑り止め突起の直径より大きい直径を有するシリコーンゴム突起である第２の滑り止め突起がそれぞれ設置されることを特徴とする請求項２に記載の敷物。
【請求項４】
前記敷物本体の最上層に、複数の前記シリコーンゴム突起を含み、所定距離の間隔を置いて配置される複数の滑り止めリブが設置されることを特徴とする請求項３に記載の敷物。
【請求項５】
前記第１の滑り止め突起、前記第２の滑り止め突起及び／又は前記滑り止めリブにおける前記シリコーンゴム突起は円形滴状構造であり、前記円形滴状構造の直径は１ｍｍ〜３ｍｍであり、前記円形滴状構造の厚さは０．１〜１ｍｍであることを特徴とする請求項４に記載の敷物。
【請求項６】
前記敷物は、施療部を更に含み、前記施療部上に施療子が設置され、前記施療部が着脱可能に前記敷物本体の最上層に設置されることを特徴とする請求項１から請求項５のいずれか１項に記載の敷物。
【請求項７】
前記敷物本体の最上層に複数の凹溝が設置されており、
前記施療部の前記敷物本体と接する底面上に連結具が設置されており、
前記施療部が前記連結具を介して前記敷物本体の前記凹溝内に実装されることを特徴とする請求項６に記載の敷物。
【請求項８】
前記連結具は前記敷物本体と接続する係合スプリング構造であることを特徴とする請求項７に記載の敷物。
【請求項９】
前記連結具はスクリュー構造であり、前記スクリュー構造が前記敷物本体と接続され、前記スクリュー構造上に雄ねじが設置されており、前記凹溝内に前記スクリュー構造の雄ねじに螺合する雌ねじが設置されることを特徴とする請求項７に記載の敷物。
【請求項１０】
前記連結具は矩形ブロック構造であり、前記矩形ブロック構造が前記敷物本体と接続され、前記凹溝は前記矩形ブロック構造に適合する矩形状に設置されることを特徴とする請求項７に記載の敷物。
【考案の詳細な説明】
【技術分野】
【０００１】
本考案は置き敷き技術分野に関する。特に敷物に関する。
【背景技術】
【０００２】
人々の生活程度の向上に従って、生活の品質に対する要求も益々高まっている。その一つとして、敷物がある。
【０００３】
いままで、敷布団や床面上に置き敷かれて直接使用する敷物が多く製作され、その底部の滑り止め材質は通常ポリエステル樹脂またはＰＶＡ樹脂で製作されることが多かった。
しかし、ポリエステル樹脂やＰＶＡ樹脂は滑り易く、使用中、製作された敷物の滑り止め効果が低く、使い勝手が悪いという問題がある。
【０００４】
従来技術では、敷物の滑り止め問題を解決するために、敷物の４つの角隅に弾性ベルトを設置し、弾性ベルトによって敷物を敷布団上に固定する手法が提案された。
しかし、この手法についても、弾性ベルトによる固定の方式が煩雑で、時間経過に従って弾性ベルトの弾性が失われ、敷物が滑り易いという問題がある。
【０００５】
なお、現在では、長期間コンピュータを使って仕事をする人々が益々多くなり、頸部や肩のこり、肩部筋肉の痺れが起こり易いので、人を寝かせた状態で肩部に施療する敷物が求められている。
【考案の概要】
【考案が解決しようとする課題】
【０００６】
本考案の目的は、従来技術において、敷物の滑り止め効果が低く、機能が単一であるという技術問題を解決する敷物を提供することである。
本考案が提供する幾つかの技術手段における、好適な技術手段によって得られる技術効果について、以下に詳細に説明する。
【０００７】
上記の目的を達成するために、本考案では以下のような技術手段を提供する。
【課題を解決するための手段】
【０００８】
本考案では、敷物本体と、上記敷物本体の底部に設置されて上記敷物本体の底部に固定されるシリコーンゴム突起である第１の滑り止め突起とを含む敷物を提供する。
【０００９】
本考案の好適な実施形態によれば、上記第１の滑り止め突起は上記敷物本体の短手方向に沿って設置される複数列の第１の滑り止め突起を含み、それぞれの列の第１の滑り止め突起は複数のシリコーンゴム突起で構成される。複数列の第１の滑り止め突起は上記敷物本体の底部において上記敷物本体の長手方向に沿って上記敷物本体の一方の端から他方の端へ、互いに並列に、間隔を置いて設置される。
【００１０】
本考案の好適な実施形態によれば、上記敷物本体の底部の４つの角隅に、上記第２の滑り止め突起の直径より大きい直径を有するシリコーンゴム突起である第２の滑り止め突起がそれぞれ設置される。
【００１１】
本考案の好適な実施形態によれば、上記敷物本体の最上層に、複数のシリコーンゴム突起を含んで所定距離の間隔を置いて配置される、複数の滑り止めリブが設置される。
【００１２】
本考案の好適な実施形態によれば、上記第１の滑り止め突起、上記第２の滑り止め突起及び／又は上記滑り止めリブのシリコーンゴム突起は円形滴状構造であり、上記円形滴状構造の直径は１ｍｍ〜３ｍｍであり、上記円形滴状構造の厚さは０．１〜１ｍｍである。
【００１３】
本考案の好適な実施形態によれば、上記敷物は施療部を更に含み、上記施療部上に施療子が設置され、上記施療部が着脱可能に上記敷物本体の最上層に設置される。
【００１４】
本考案の好適な実施形態によれば、上記敷物本体の最上層に複数の凹溝が設置されており、上記施療部の上記敷物本体と接する底面上に連結具が設置されており、上記施療部が連結具を介して上記敷物本体の上記凹溝内に実装される。
【００１５】
本考案の好適な実施形態によれば、上記連結具は敷物本体と接続する係合スプリング構造である。
【００１６】
本考案の好適な実施形態によれば、上記連結具はスクリュー構造であり、上記スクリュー構造が上記敷物本体と接続され、上記スクリュー構造上に雄ねじが設置されており、上記凹溝内に上記スクリュー構造の雄ねじに螺合する雌ねじが設置される。
【００１７】
本考案の好適な実施形態によれば、上記連結具は矩形ブロック構造であり、上記矩形ブロック構造が上記敷物本体と接続され、上記凹溝は矩形ブロック構造に適合する矩形状に設置される。
【考案の効果】
【００１８】
本考案では、敷物本体と、上記敷物本体の底部に設置されて上記敷物本体の底部に固定されるシリコーンゴム突起である第１の滑り止め突起とを含む敷物が提供される。
本考案の敷物によれば、敷物本体の底部に第１の滑り止め突起が設置され、従来技術における弾性ベルトによる滑り止め方式に比べて、その滑り止め効果が更に高い。
同時に、本考案の実施例の敷物によれば、敷物本体の最上層にも複数の滑り止めリブが設置され、これにより、人間力学を十分に考え、敷物本体の最上層にシーツを被覆した上で人間を寝かせても優れた滑り止め効果が得られる。
また、本考案の実施例の敷物によれば、敷物の最上層に着脱可能の施療部が設置され、使用者が必要に応じて施療部を敷物上に設置して、頸部や肩部を施療することができるから、良好な滑り止め効果が得られるばかりでなく、施療体験によって使用者に新規な体験を提供する。
【図面の簡単な説明】
【００１９】
本考案の実施例と従来技術の技術手段の違いをより明らかにするために、以下に実施例や従来技術についての図面を簡単に説明する。ここで、以下説明する図面は、本考案の幾つかの実施例に過ぎ、当業者にとっては、特段の創造性を発揮することなく、これらの図面から他の図面が容易に得られることは自明である。
【００２０】
【図１】本考案の敷物の構造を示す断面図である。
【図２】本考案の敷物の好適な実施形態を示す下面図である。
【図３】本考案の敷物の別の好適な実施形態を示す下面図である。
【図４】本考案の敷物の別の好適な実施形態の構造を示す断面図である。
【図５】本考案の敷物本体の最上層の好適な実施形態を示す上面図である。
【図６】本考案の敷物の施療部の構造を示す断面図である。
【図７】本考案の敷物における施療部の連結具の好適な実施形態の構造を示す断面図である。
【図８】本考案の敷物における施療部の連結具の別の好適な実施形態の構造を示す断面図である。
【図９】本考案の敷物における施療部の連結具の別の好適な実施形態の構造を示す断面図である。
【図１０】本考案の敷物における第１の滑り止め突起と滑り止めリブのシリコーンゴム突起の好適な実施形態の配列方式を示す図である。
【考案を実施するための形態】
【００２１】
本考案の目的、技術手段及び利点をさらに明らかにするために、以下に本考案の技術手段を詳細に説明する。
なお、以下に説明する実施例は、本考案の一部実施例に過ぎず、全ての実施例ではないことは言うまでもない。本考案の実施例によれば、当業者が特段の創造性発揮せずともえられる、全ての他の実施形態が本考案の保護範囲に属する。
【００２２】
本考案では、以下のような敷物を提供する。図１に本考案の敷物の断面図を示す。
本考案の敷物は、敷物本体１１と、敷物本体１１の底部に設置されて敷物本体１１の底部に固定されるシリコーンゴム突起である第１の滑り止め突起１２とを含む。
敷物本体の底部に第１の滑り止め突起が設置されて敷物の底部に固定されることによって、滑り止め突起の長期間使用による欠落という問題を解決するとともに、シリコーンゴム滑り止め突起によって、弾性ベルトによる設計に比べ、より高い滑り止め効果が得られる。
【００２３】
図２に本考案の敷物の好適な実施形態の底面図を示す。
第１の滑り止め突起１２は敷物本体１１の短手方向に沿って設置される複数列の第１の滑り止め突起１２を含む。それぞれの列の第１の滑り止め突起１２は複数のシリコーンゴム突起で構成され、複数列の第１の滑り止め突起１２は敷物本体１１の底部において敷物本体１１の長手方向に沿って敷物本体１１の一方の端から他方の端へ、互いに並列に、間隔を置いて設置される。
敷物本体の長手方向にそって複数列の第１の滑り止め突起が順次に設置されることによって、さらに敷物の滑り止め効果を向上させるとともに、敷物本体の底部と床面或いは敷布団の間の摩擦力が均一になり、一部の摩擦力が欠落する現象を避けることができる。
【００２４】
また、図３は本考案の敷物の別の好適な実施形態を示す底面図である。
敷物本体１１の底部の４つの角隅にシリコーンゴム突起である第２の滑り止め突起１２１がそれぞれ設置される。第２の滑り止め突起１２１の直径は第１の滑り止め突起１２の直径より大きい。そのため敷物本体の角の滑り止め効果を向上させる。
なお、図２及び図３に示すように、それぞれの列の第１の滑り止め突起の数は同じでもよく、異なっても良い。また、それぞれの列の第１の滑り止め突起は図２に示すように隣り合って設置されてもよく、図１０に示すように、互いに交差、即ち隣り合う３列の第１の滑り止め突起における４つの隣り合う第１の滑り止め突起で菱形構造を形成するように設置されてもよい。
図１０は、本考案の敷物における第１の滑り止め突起及び滑り止めリブのシリコーンゴム突起の好適な実施形態の配列方式を示す図である。このような菱形構造の辺の長さＬは５ｍｍ〜１００ｍｍであり、さらに滑り止め効果を向上させられるように、菱形構造の辺の長さＬは５ｍｍであることが好ましい。
【００２５】
図４は本考案の敷物の別の好適な実施形態の構造を示す断面図であり、図５は本考案の敷物本体の最上層の好適な実施形態を示す上面図である。
上記敷物本体１１の最上層に、複数のシリコーンゴム突起を含んで所定距離の間隔を置いて配置される複数の滑り止めリブ１４が設置される。
複数の滑り止めリブ１４が、それぞれ敷物本体の最上層の両端及び中央に配置されることによって、人間が敷物上に寝かされた状態で肩部、腰部及び脚部がちょうど滑り止めリブに位置するため、人間力学的により良い滑り止め効果が得られる。また、敷物上にシーツを被覆しても、シーツの滑りや欠落という問題も発生しない。
【００２６】
本考案のシリコーンゴム突起は、任意形状の突起であっても良い。
第１の滑り止め突起１２、第２の滑り止め突起１２１及び／又は滑り止めリブ１４のシリコーンゴム突起は円形滴状構造である。円形滴状構造の直径は１ｍｍ〜３ｍｍであり、上記円形滴状構造の厚さは０．１〜１ｍｍである。
なお、シリコーンゴム突起は円弧状であっても良い。ただし、敷物を水平に置き敷けるように、第１の滑り止め突起１２の突起した最高点と、第２の滑り止め突起１２１の突起した最高点が同一の水平面上に位置する。
また、シリコーンゴム突起と敷物本体の底部及び敷物本体の最上層との固定方式としては、滴下成型を用いても良い。
【００２７】
さらに、図１０に示すように、第１の滑り止め突起１２または滑り止めリブ１４の同一列における、隣り合う２つのシリコーンゴム突起の間の縦方向間距Ｈは、２ｍｍ〜５０ｍｍである。
第１の滑り止め突起１２または滑り止めリブ１４の同一列における隣合う２つのシリコーンゴム突起の間の縦方向間距Ｈは、１０ｍｍであることが好ましい。
【００２８】
なお、敷物本体１１の底部及び／又は最上層の材質としてポリエステル、綿、ビスコース或いはナイロン中のいずれか１つを採用しても良い。
【００２９】
本考案の好適な実施形態によれば、本考案の実施例の敷物は施療部１３を更に含む。施療部１３上に施療子１３１が設置される。施療部１３が着脱可能に敷物本体１１の最上層に設置される。
従って、ユーザが必要に応じて敷物上に施療部を実装すれば、敷物上に寝かせた状態で肩こり状態の頸部や肩部を施療することができる。施療完了した後は施療部１３を取り外せばよい。
なお、施療部１３は人間を寝かせた状態で施療部１３によって人間の頸部や肩部を施療するために、敷物本体の長手方向の端部に近い位置に設置される。
施療部１３を取り外して、施療部１３の位置に枕やピローを設置したとしても、同じように滑り止めの効果が得られる。
【００３０】
さらにまた、図６〜図９を参照する。敷物本体１１の最上層に複数の凹溝１３３が設置され、施療部１３の敷物本体１１と接する底面上に連結具１３２が設置される。施療部１３が連結具１３２を介して敷物本体１１の凹溝１３３内に実装される。
また、凹溝１３３と敷物本体の最上層に位置する滑り止めリブ１４のシリコーンゴム突起とが、互いに間隔を置いて設置されることが好ましい。
【００３１】
図７に示すように、連結具１３２は、敷物本体１１と接続する係合スプリング構造１３４であっても良い。この場合、係合スプリング構造１３４上に凸点が設置されるので、係合スプリング構造によって、施療部を敷物本体の凹溝１３３内に嵌合させる。
【００３２】
図８に示すように、連結具１３２はスクリュー構造１３５であっても良い。スクリュー構造１３５は敷物本体１１と接続される。スクリュー構造１３５上に雄ねじが設置され、凹溝１３３内にスクリュー構造１３５の雄ねじに螺合する雌ねじが設置される。スクリュー構造１３５の雄ねじと凹溝１３３内の雌ねじとの螺合によって、施療部を敷物本体の凹溝内に嵌合させる。
【００３３】
図９に示すように、連結具１３２は矩形ブロック構造１３６であっても良い。矩形ブロック構造１３６が敷物本体１１と接続される。
凹溝１３３は矩形ブロック構造１３６に適合する矩形状に設置される。矩形ブロックと矩形状凹溝との結合によって、施療部を敷物本体の凹溝内に嵌合させる。
【００３４】
なお、本考案の敷物は敷布団、キルティングパッド、スポンジパッド、シーツ、ベッドカバー、ふとんカバーひいてはペット用敷物であっても良い。本考案の敷物は、あらゆる種類の敷物に適する。
【００３５】
本考案の好適な実施例について、本願出願者は本考案の実施例の底部に滴下成型によってシリコーンゴム突起が設置される敷物に対する接触物の密着や汚れ状況を調べ、以下のような結果を得た。
【００３６】
ＮＱＳ−ＴＦ１０検出方法によって、温度６０度、湿度９０％の雰囲気の恒温恒湿器中に、７ｃｍ×５ｃｍ角の本品と、指定検出用の接触物とを密着させ、その上に１ｋｇの重物を置いて、試験を行った。
４８時間後に取り出し、密着状態で自然干燥させ、分離してから接触面の外観を観察した結果、標準品は３−４級であるところ、本品は４−５級に相当した。接触物の接触面に密着や汚れがなく、検出機構の基本要求を遥かに越えていた。
【００３７】
本考案の好適な実施例について、本願出願者は本考案の実施例の、底部に滴下成型によってシリコーンゴム突起が設置される敷物に洗浄試験を行って、以下のような結果を得た。
【００３８】
ＪＩＳ−Ｌ−１９３０Ｃ４Ｇの洗浄方法によって１０回洗浄した結果、外観の変化がなく、変退色等級は５級、シリコーンゴムの滴下堅牢度は５級であった。通常の家庭用ドライクリーニング（７０度以下）をしても、洗浄結果は良かった。
【００３９】
本考案の好適な実施例について、本願出願者は本考案の実施例の、底部に滴下成型によってシリコーンゴム突起が設置される敷物に滑り止め試験を行い、以下のような結果を得た。
【００４０】
ＪＩＳ−Ｐ−８１４７：２０１０規格に準拠して滑り止め検出を行った。寸法９０ｍｍ×６０ｍｍの試験片を選択し、牽引物重量１ｋｇ、乾燥条件で、定速引張試験機を使用して、引張速度１００ｃｍ／ｍｉｎで試験を行った。
検出された静摩擦係数は１．５２であった。従来技術の通常品で検出された静摩擦係数は０．７程度なので、これは従来製品の検出係数の２倍以上である。
【００４１】
本考案の敷物では、敷物本体の底部にシリコーンゴム滑り止め突起が固定して設置される。弾性ベルトによる滑り止め設計に比べて、滑り止め突起の滑り止め効果がより高いため、長期間使用しても欠落または効果が得られないという状態が生じない。
同時に、本考案は施療機能を加えることができるため、広い実用性が得られる。使用する場合は、施療部の連結具を介して施療部を敷物本体上に実装すればよく、また使用完了後は、それを取り外せば良く、敷物の使用には何らの影響も与えない。
【００４２】
以上は、本考案の具体的な実施形態に過ぎず、本考案の保護範囲はここに限定されるものではない。本考案に開示された技術範囲内で当業者が容易に想到して付け加えた変更や置換も本考案の保護範囲に属する。本考案の保護範囲は、上記の実用新案登録請求の保護範囲でのみ限定されるものである。
【符号の説明】
【００４３】
１１      敷物本体
１２      第１の滑り止め突起
１３      施療部
１４      滑り止めリブ
１２１    第２の滑り止め突起
１３１    施療子
１３２    連結具
１３３    凹溝
１３４    係合スプリング構造
１３５    スクリュー構造
１３６    矩形ブロック構造
Ｌ        菱形構造辺の長さ
Ｈ        縦方向ピッチ
【図１】
0003218096.tif 000003
【図２】
0003218096.tif 000004
【図３】
0003218096.tif 000005
【図４】
0003218096.tif 000006
【図５】
0003218096.tif 000007
【図６】
0003218096.tif 000008
【図７】
0003218096.tif 000009
【図８】
0003218096.tif 000010
【図９】
0003218096.tif 000011
【図１０】
0003218096.tif 000012